(57)【要約】【課題】フロントエンドモジュール周辺についての回路配置の修正などが容易となる放送受信モジュールを提供する。【解決手段】放送受信機の構成部品として用いられる、放送受信モジュールであって、アンテナに接続され、該アンテナから放送信号が入力される、アンテナ入力端子と、該アンテナ入力端子から伝送された前記放送信号に所定の前段処理を施す、フロントエンドモジュールと、該前段処理が施された前記放送信号に復調処理を施す、デコーダＬＳＩと、情報を記憶するメモリと、外部装置との信号の入出力に用いられる入出力端子と、を備えるとともに、前記アンテナ入力端子、フロントエンドモジュール、デコーダ装置、および入出力端子の各々は、実装面の外縁が略四角形である、一枚の基板に配置されている放送受信モジュールとする。【選択図】図２
2008211416.tif 000002
【特許請求の範囲】
【請求項１】
放送受信機の構成部品として用いられる、放送受信モジュールであって、
アンテナに接続され、該アンテナから放送信号が入力される、アンテナ入力端子と、
該アンテナ入力端子から伝送された前記放送信号に所定の前段処理を施す、フロントエンドモジュールと、
該前段処理が施された前記放送信号に復調処理を施す、デコーダＬＳＩと、
情報を記憶するメモリと、
外部装置との信号の入出力に用いられる入出力端子と、を備えるとともに、
前記アンテナ入力端子、フロントエンドモジュール、デコーダ装置、および入出力端子の各々は、実装面の外縁が略四角形である、一枚の基板に配置されていることを特徴とする放送受信モジュール。
【請求項２】
前記アンテナ入力端子、前記フロントエンドモジュール、および前記メモリの各々は、前記基板の表側の面に配置され、
前記デコーダＬＳＩおよび前記入出力端子は、前記基板の裏側の面に配置されていることを特徴とする請求項１に記載の放送受信モジュール
【請求項３】
前記アンテナ入力端子および前記フロントエンドモジュールは、前記基板の縁の一辺である第１辺に近い側に配置され、
前記メモリは、該第１辺の対辺である第２辺に近い側に配置されていることを特徴とする請求項２に記載の放送受信モジュール。
【請求項４】
前記デコーダＬＳＩは、前記基板の略中央に配置され、
前記入出力端子は、前記第２辺に近い側に配置されていることを特徴とする請求項３に記載の放送受信モジュール。
【請求項５】
前記デコーダＬＳＩを覆うように配置され、該デコーダＬＳＩから放出される電磁波をシールドする、シールドケースを備えたことを特徴とする請求項１から請求項４の何れかに記載の放送受信モジュール。
【請求項６】
前記シールドケースの高さと前記入出力端子の高さが、互いに略同一であることを特徴とする請求項５に記載の放送受信モジュール。
【請求項７】
前記放送受信モジュールを前記放送受信機に固定させるための固定部が、前記アンテナ入力端子に近接して配置されていることを特徴とする請求項３または請求項４に記載の放送受信モジュール。
【請求項８】
前記固定部は、前記基板に設けられた貫通穴であり、
該貫通穴を用いたネジ止めによって、前記固定がなされることを特徴とする請求項７に記載の放送受信モジュール。
【請求項９】
前記前段処理は、
少なくとも、１セグメント放送に対する選局処理が含まれていることを特徴とする請求項１から請求項８の何れかに記載の放送受信モジュール。
【発明の詳細な説明】
【技術分野】
【０００１】
本発明は、デジタル放送などを受信する放送受信機の構成部品として用いられる、放送受信モジュールに関する。
【背景技術】
【０００２】
従来、デジタル放送受信機においては、放送信号を受信してＴＳ［Transport Stream］信号として出力するフロントエンドモジュールや、その出力信号に復調処理を施すデコーダＬＳＩなどは、受信機を構成する他の装置とともに同一基板上に配置されていた。このような放送受信機の構成例を、図９に示す。
【０００３】
アンテナを１２１通じて受信された放送信号（高周波信号）は、アンテナコネクタを経由して、フロントエンドモジュール１１２に入力される。そしてフロントエンドモジュール１１２にてＴＳ信号に変換された後、デコーダＬＳＩ１１３にて復調処理が施され、ビデオ信号とオーディオ信号が出力される。なおメモリ１１５には、デコーダＬＳＩ１１３の制御プログラムやデータ等が格納されている。
【０００４】
このビデオ信号は、ＬＣＤ［Liquid Crystal Display］周辺回路１２２を経由してＬＣＤ１２３に伝送され、映像出力に用いられる。またオーディオ信号は、オーディオＤＡＣ［Digital to Analog Converter］１２４を経由してスピーカ１２５に伝送され、音響出力に用いられる。
【０００５】
一方、キースイッチ類１２６は、主電源のＯＮ／ＯＦＦ切替、チャンネルの選局、音量の調整などをユーザが自在に操作するために設けられており、キースイッチ１２６により得られた操作情報はシステムマイコン１２７に入力される。そしてシステムマイコン１２７は、この操作情報やメモリ１２８に記憶された諸情報に基づいて、放送受信機でなされる各処理を制御する。
【０００６】
また電源回路１２９は、放送受信機内の各回路に電力を供給している。なお上述した各装置は、図９にも示されているように、一枚の基板（システムボード）１１９に配置されている。
【特許文献１】特開平７−１３５２９０号公報
【特許文献２】特開平５−９０４４０号公報
【発明の開示】
【発明が解決しようとする課題】
【０００７】
デジタル放送受信機の品質確保においては、放送信号に対し上流側で処理を行うフロントエンドモジュールの受信性能（受信感度を含む）などが、最も重要な要素の一つとなる。またこのような受信性能の良否は、フロントエンドモジュール周辺（フロントエンドモジュール自体も含む）の回路設計に大きく左右されるため、かかる回路設計においては、極めて慎重な高周波回路設計が要求される。そのため、フロントエンドモジュール周辺の回路については、受信性能の改善等のために、適宜、回路配置の修正などを要することが比較的多いといえる。
【０００８】
一方、先述した従来技術に係るシステムボードのように、フロントエンドモジュール周辺の回路だけでなく他の種々の回路を共通の基板に配置させるものでは、フロントエンドモジュール周辺の回路のみについて回路配置の修正がなされる場合であっても、検討段階でシステムボード全体の試作が必要となる等、多くの費用や時間が必要となる。そのためこのような修正を行うことが、試作費用や時間等の面から容易でないことがあった。なお先述の通り、特にフロントエンドモジュールは受信性能に大きく影響するため、フロントエンドモジュール周辺における各回路同士の電磁的影響は、極力抑えられることが望ましい。
【０００９】
そこで本発明は上記の問題点に鑑み、フロントエンドモジュール周辺についての回路配置の修正などが容易となる放送受信モジュールの提供を目的とする。また更に、フロントエンドモジュール周辺において、各回路同士での電磁的影響が極力抑えられる放送受信モジュールの提供を目的とする。
【課題を解決するための手段】
【００１０】
上記目的を達成するために、本発明に係る放送受信モジュールは、放送受信機の構成部品として用いられる、放送受信モジュールであって、アンテナに接続され、該アンテナから放送信号が入力される、アンテナ入力端子と、該アンテナ入力端子から伝送された前記放送信号に所定の前段処理を施す、フロントエンドモジュールと、該前段処理が施された前記放送信号に復調処理を施す、デコーダＬＳＩと、情報を記憶するメモリと、外部装置との信号の入出力に用いられる入出力端子と、を備えるとともに、前記アンテナ入力端子、フロントエンドモジュール、デコーダ装置、および入出力端子の各々は、実装面の外縁が略四角形である、一枚の基板上に配置されている構成（第１の構成）としている。
【００１１】
本構成によれば、フロントエンドモジュール周辺の回路（フロントエンドモジュール、デコーダＬＳＩ、およびメモリ）が、１枚の基板上に配置された放送受信モジュールが実現される。そのため、フロントエンドモジュール周辺において回路配置の修正等を行う場合は、かかる放送受信モジュールを対象に試作・検討等を行うことが可能となる。
【００１２】
その結果、例えばシステムボード全体について試作・検討等を行う必要がある場合に比べて、フロントエンドモジュール周辺における回路配置の修正等を、より容易に行うことが可能となる。なおフロントエンドモジュール周辺の回路を、その他の回路から離して配置させることも容易となるため、これら双方間の電磁的影響を抑えて受信性能を向上させることも容易となる。
【００１３】
また上記第１の構成において、前記アンテナ入力端子、前記フロントエンドモジュール、および前記メモリの各々は、前記基板の表側の面に配置され、前記デコーダＬＳＩおよび前記入出力端子は、前記基板の裏側の面に配置されている構成（第２の構成）としてもよい。
【００１４】
本構成によれば、フロントエンドモジュールとデコーダＬＳＩは、互いに異なる実装面に配置されることとなる。そのため双方が同じ実装面に配置されているものに比べて、デコーダＬＳＩや入出力端子が発する電磁的ノイズが、フロントエンドモジュールに与える影響を、小さく抑え易くなる。これにより、放送受信モジュールにおける高周波特性（受信性能）の改善が容易となる。
【００１５】
また上記第２の構成において、前記アンテナ入力端子および前記フロントエンドモジュールは、前記基板の縁の一辺である第１辺に近い側に配置され、前記メモリは、該第１辺の対辺である第２辺に近い側に配置されている構成（第３の構成）としてもよい。
【００１６】
本構成によれば、フロントエンドモジュールとメモリは、互いに比較的離れた位置に配置されることとなる。そのため双方が比較的近接して配置されているものに比べて、メモリが発する電磁的ノイズがフロントエンドモジュールに与える影響を、小さく抑え易くなる。これにより、放送受信モジュールにおける高周波特性（受信性能）の改善が容易となる。なお「近い側」とは、少なくとも、基板の略中央よりも近い側を指すものとする。
【００１７】
また上記第３の構成において、前記デコーダＬＳＩは、前記基板の略中央に配置され、前記入出力端子は、前記第２辺に近い側に配置されている構成（第４の構成）としてもよい。
【００１８】
本構成によれば、フロントエンドモジュールと入出力端子は、互いに比較的離れた位置に配置されることとなる。そのため双方が比較的近接して配置されているものに比べて、入出力端子が発する電磁的ノイズがフロントエンドモジュールに与える影響を、小さく抑え易くなる。これにより、放送受信モジュールにおける高周波特性（受信性能）の改善が容易となる。なお「近い側」とは、少なくとも、基板の略中央よりも近い側を指すものとする。
【００１９】
また上記第１から第４の何れかの構成において、前記デコーダＬＳＩを覆うように配置され、該デコーダＬＳＩから放出される電磁波をシールドする、シールドケースを備えた構成（第５の構成）としてもよい。
【００２０】
本構成によれば、デコーダＬＳＩとその他の回路との間における電磁的影響を、極力抑えることが可能となる。そのため、放送受信モジュールにおける高周波特性（受信性能）を改善することが可能となる。
【００２１】
また上記第５の構成において、前記シールドケースの高さと前記入出力端子の高さが、互いに略同一である構成（第６の構成）としてもよい。本構成によれば、他の基板に入出力端子の上面を接するようにした状態で、シールドケースの上面をも当該基板に接するようにすることが容易となる。そのため、当該基板を利用してシールドケースを接地させることにより、シールドケースにおけるシールド効果の劣化を極力防止することが可能となる。
【００２２】
また上記第３または第４の構成において、前記放送受信モジュールを前記放送受信機に固定させるための固定部が、前記アンテナ入力端子に近接して配置されている構成（第７の構成）としてもよい。また第７の構成としてより具体的には、前記固定部は、前記基板に設けられた貫通穴であり、該貫通穴を用いたネジ止めによって、前記固定がなされる構成（第８の構成）としてもよい。
【００２３】
本構成によれば、固定部が設けられていることにより、放送受信モジュールを放送受信機に固定させることが容易となる。また固定部は、アンテナ入力端子に近接して配置されているため、アンテナ入力端子に外力がかかった場合（例えばアンテナ端子を抜き差しする時）であっても、放送受信モジュールに曲げ等の負担が生じることを極力防止することが可能となる。なお「近接」とは、少なくとも、基板の略中央より近い状態を指すものとする。
【００２４】
また上記第１から第８の何れかの構成において、前記前段処理は、少なくとも、１セグメント放送に対する選局処理が含まれている構成（第９の構成）とすれば、上記の各構成に係る利点を享受しつつ、１セグメント放送の視聴を可能とする放送受信機を容易に実現することができる。
【発明の効果】
【００２５】
上述の通り本発明に係る放送受信モジュールによれば、フロントエンドモジュール周辺の回路（フロントエンドモジュール、デコーダＬＳＩ、およびメモリ）が、１枚の基板上に配置された放送受信モジュールが実現される。そのため、フロントエンドモジュール周辺において回路配置の修正等を行う場合は、かかる放送受信モジュールを対象に試作・検討等を行うことが可能となる。
【００２６】
その結果、例えばシステムボード全体について試作・検討等を行う必要がある場合に比べて、フロントエンドモジュール周辺における回路配置の修正等を、より容易に行うことが可能となる。なおフロントエンドモジュール周辺の回路を、その他の回路から離して配置させることも容易となるため、これら双方間の電磁的影響を抑えて受信性能を向上させることも容易となる。
【発明を実施するための最良の形態】
【００２７】
本発明の実施形態として、実施例１から実施例７の各々を挙げて、以下に説明する。
【００２８】
［実施例１］
本発明の実施例１として、図１に示す構成の放送受信モジュールを挙げて説明する。本図に示すように、放送受信モジュール１は、アンテナコネクタ１１、フロントエンドモジュール１２、デコーダＬＳＩ１３、入出力端子１４、およびメモリ１５の各々が、実装面が長方形である基板１９に載置された構成となっている。なおこの放送受信モジュール１は、１セグメント放送（いわゆるワンセグ放送）を受信するデジタル放送受信機の構成部品と用いられる。
【００２９】
アンテナコネクタ１１は、アンテナに繋がったアンテナ端子（アンテナ線など）を放送受信モジュール１に接続させるためのものである。アンテナ端子がこのアンテナコネクタ１１に接続されることにより、アンテナにより受信された１セグメント放送に係る放送信号が、放送受信モジュール１に取り込まれる。
【００３０】
フロントエンドモジュール１２は、アンテナコネクタ１１側から放送信号が入力され、これに選局処理を施して、ＴＳ信号として後段回路に出力する。つまりフロントエンドモジュール１２は、ワンセグ放送の受信チューナとしての機能を有している。またデコーダＬＳＩ１３は、フロントエンドモジュール１２から受取ったＴＳ信号に対して、復調処理を施す。
【００３１】
入出力端子１４は、放送受信モジュール１と外部装置（後述する、ＬＣＤ周辺回路２２、オーディオＤＡＣ２４、システムマイコン２７、電源回路２９など）との間における信号や電力の入出力に用いられる端子である。デコーダＬＳＩ１３により復調処理の施された信号は、この入出力端子１４を通じて、外部装置に出力されることになる。またメモリ１５は、デコーダＬＳＩ１３の制御ソフトや各種データなどを格納する。
【００３２】
このような構成により、放送受信装置１は、アンテナコネクタ１１から入力される１セグメント放送に係る放送信号に対して選局、復調処理を施すとともに、当該信号を入出力端子１４から出力させることが可能である。
【００３３】
次に、上述した放送受信モジュール１が組み込まれた状態における、デジタル放送受信機の構成図を図２に示す。本図のようにデジタル放送受信装置２は、放送受信モジュール１の他、アンテナ２１、ＬＣＤ周辺回路２２、ＬＣＤ２３、オーディオＤＡＣ２４、スピーカ２５、キースイッチ類２６、システムマイコン２７、メモリ２８、および電源回路２９などが備えられている。なお放送受信モジュール１やシステムマイコン２７などは、デジタル放送受信機内の基板（システムボード）上に取り付けられている。
【００３４】
アンテナ２１は、１セグメント放送に係るデジタル放送波を受信する。これにより得られた放送信号は、アンテナコネクタ１１を介して、放送受信モジュール１に入力されることとなる。
【００３５】
ＬＣＤ周辺回路２２は、放送受信モジュール１から復調処理のなされた放送信号が入力され、この信号に基づいて、放送内容の映像をＬＣＤ２３に出力させるための信号（映像信号）を生成する。そしてＬＣＤ２３は、この映像信号に基づいた映像を出力する。
【００３６】
オーディオＤＡＣ２４は、放送受信モジュール１から復調処理のなされた放送信号が入力され、この信号に基づいて、放送内容の音響をスピーカ２５に出力させるための信号（音響信号）を生成する。そしてスピーカ２５は、この音響信号に基づいた音響出力を行う。
【００３７】
キースイッチ類２６は、ユーザがデジタル放送受信機２に対する各種指示を実行するためのユーザインターフェースとして機能しており、例えば各種のスイッチやリモコン受信部を備えている。これによりユーザは、デジタル放送受信機２における主電源のＯＮ／ＯＦＦ切替、チャンネルの選局、音量調整などを実行することが可能となっている。
【００３８】
システムマイコン２７は、キースイッチ類２６により取得された各種指示情報や、メモリ２８に記憶されている情報などに基づいて、デジタル放送受信機２における全体的な制御を実行する。また電源回路２９は、デジタル放送受信機２における各回路を作動させるための電力を供給する。
【００３９】
以上の構成により、デジタル放送受信機２は、デジタル放送（１セグメント放送）に係る放送波を受信するとともに、その放送内容の映像および音響を出力することが可能である。また回路配置などが放送波の受信性能に大きく影響を及ぼす、フロントエンドモジュール１２、デコーダＬＳＩ１３、およびメモリ１４といったフロントエンドモジュール周辺の回路は、放送受信用モジュール１としてモジュール化されている。そのため、フロントエンドモジュール周辺において回路配置の修正等を行う場合は、放送受信モジュール１を対象に試作・検討等を行うことが可能となっている。
【００４０】
その結果、例えばシステムボード全体について試作・検討等を行う必要がある場合に比べて、フロントエンドモジュール周辺における回路配置の修正等を、より容易に行うことが可能となっている。なおフロントエンドモジュール周辺の回路を、その他の回路から離して配置させることも容易となるため、これら双方間の電磁的影響を抑えて受信性能を向上させることも容易となっている。
【００４１】
［実施例２］
次に本発明の実施例２について説明する。なお本実施例は、放送受信モジュールにおける回路配置を除いては、基本的に実施例１と同様であるため、重複する説明を省略する。
【００４２】
本実施例における放送受信モジュール１の構成図（表側から見たもの）を、図３に示す。なお破線で示している部分は、基板の反対側の面に配置されていることを示している。本図に示すように、基板１９は両面実装が可能となっており、表側の面には、アンテナコネクタ１１、フロントエンドモジュール１２、およびメモリ１５が設けられている。またその一方、裏側の面には、デコーダＬＳＩ１３および入出力端子１４が設けられている。
【００４３】
このようにデコーダＬＳＩ１３が、フロントエンドモジュール１２と別の実装面に配置されていることにより、デコーダＬＳＩ１３から生じる電磁的ノイズの影響が、フロントエンドモジュール１２に及ぶことを極力回避することが可能となっている。そのため、フロントエンドモジュール１２とデコーダＬＳＩ１３とを同じ側の面に設けたものに比べて、これら双方間の電磁的影響を低減させることが可能となり、ひいては、放送受信モジュール１における高周波特性（受信性能）を改善させることが可能となっている。
【００４４】
［実施例３］
次に本発明の実施例３について説明する。なお本実施例は、放送受信モジュールにおける基板の表側の面に関する回路配置を除いては、基本的に実施例２と同様であるため、重複する説明を省略する。
【００４５】
本実施例における放送受信モジュール１の構成図（表側から見たもの）を、図４に示す。本図に示すように、基板１９は両面実装が可能となっており、表側の面には、アンテナコネクタ１１、フロントエンドモジュール１２、およびメモリ１５が設けられている。またその一方、裏側の面には、デコーダＬＳＩ１３および入出力端子１４が設けられている。
【００４６】
そしてさらに基板１９の表側の面においては、アンテナコネクタ１１とフロントエンドモジュール１２が、基板１９の縁の一辺（図４では左端の辺）の近傍（少なくとも基板の略中央よりも近い側）に、互いに近接した態様で配置されている。また一方で、メモリ１５は、当該一辺の対辺（図４では右端の辺）の近傍（少なくとも基板の略中央よりも近い側）に配置されている。つまりフロントエンドモジュール１２とメモリ１５は、互いに同一面上ではあるが、極力離れた位置に配置されている。
【００４７】
本実施例のような構成とすれば、フロントエンドモジュール１２とメモリ１５とが比較的近接して配置されているものに比べて、メモリ１５が発する電磁的ノイズがフロントエンドモジュール１２に与える影響を極力低減させることができ、ひいては、放送受信モジュール１における高周波特性（受信性能）を改善させることが可能となっている。
【００４８】
［実施例４］
次に本発明の実施例４について説明する。なお本実施例は、放送受信モジュールにおける基板の裏側の面に関する回路配置を除いては、基本的に実施例３と同様であるため、重複する説明を省略する。
【００４９】
本実施例における放送受信モジュール１の構成図（表側から見たもの）を、図５に示す。本図に示すように、基板１９は両面実装が可能となっており、表側の面には、アンテナコネクタ１１、フロントエンドモジュール１２、およびメモリ１５が設けられている。またその一方、裏側の面には、デコーダＬＳＩ１３および入出力端子１４が設けられている。
【００５０】
そして基板１９の裏側の面においては、入出力端子１４が、図５における右側の辺の近傍（少なくとも、基板の略中央より近い側）に配置されている。つまり入出力端子１４は、メモリ１５のほぼ裏側（基板１９を挟んで対向する位置）に配置されているようになっている。またデコーダＬＳＩ１３は、基板１９の概ね中央の位置に配置されている。
【００５１】
このような構成により、アンテナコネクタ１１およびフロントエンドモジュール１２と、入出力端子１４とは、互いに極力離れた位置に配置されていることとなる。なおデコーダＬＳＩは、アンテナコネクタ１１、フロントエンドモジュール１２、および入出力端子の各々から、比較的離れた位置に配置されていることとなる。
【００５２】
本実施例のような構成とすれば、フロントエンドモジュール１２と入出力端子１４とが比較的近接して配置されているものに比べて、入出力端子１４が発する電磁的ノイズがフロントエンドモジュール１２に与える影響を極力小さく抑えることが可能となっており、ひいては、放送受信モジュール１における高周波特性（受信性能）を改善することが可能となっている。
【００５３】
［実施例５］
次に本発明の実施例５について説明する。なお本実施例は、シールドケースを設けた点を除いては基本的に実施例４と同様であるため、重複する説明を省略する。
【００５４】
本実施例における放送受信モジュール１の構成図（裏側から見たもの）を、図６に示す。本図に示すように、基板１９は両面実装が可能となっており、表側の面には、アンテナコネクタ１１、フロントエンドモジュール１２、およびメモリ１５が設けられている。またその一方、裏側の面には、デコーダＬＳＩ１３および入出力端子１４が設けられている。
【００５５】
そして基板の裏側の面には、デコーダＬＳＩ１３を覆うようにシールドケース１６が設けられている。シールドケース１６は、金属などの導電性材質で形成されており、その内部側の回路と外部側の回路が、互いに電磁的影響を及ぼし合わないようにシールドするものである。
【００５６】
本実施例のような構成とすれば、シールドケース１６が設けられていないものに比べて、デコーダＬＳＩ１３と放送受信モジュール１における他の回路との間の電磁的影響を低減させることが可能となり、ひいては、放送受信モジュール１における高周波特性（受信性能）を改善することが可能となる。
【００５７】
［実施例６］
次に本発明の実施例６について説明する。なお本実施例は、シールドケースの高さと入出力端子の高さとを、ほぼ等しくした点を除いては基本的に実施例５と同様であるため、重複する説明を省略する。
【００５８】
本実施例における放送受信モジュール１の構成図（基板の断面を見たもの）を、図７に示す。本図に示すように、基板１９は両面実装が可能となっており、表側の面には、アンテナコネクタ１１、フロントエンドモジュール１２、およびメモリ１５が設けられている。またその一方、裏側の面には、デコーダＬＳＩ１３および入出力端子１４に加え、デコーダＬＳＩを覆うようにシールドケース１６が設けられている。
【００５９】
また入出力端子１４は、その上面（基板１９に接している面を底面とし、これと対向する面）が、基板１９とほぼ平行になっている。またシールドケース１６においても、その上面（基板１９に接している面を底面とし、これと対向する面）が、基板１９とほぼ平行になっている。そして基板１９からこれらの上面までの距離（高さ）は、互いに同一となっている。
【００６０】
そのため図７の破線で示している位置に（つまり、入出力端子１４の上面に接するように）システムボードを配置するとともに、入出力端子１４とシステムボードを半田等で固定させることで、放送受信モジュール１とデジタル放送受信機２とを、信号の入出力が自在となるように接続させることが可能となる。またこのように両者が接続されるとき、先述した通りに高さが設定されているため、シールドケース１６の上面をシステムボードに接触させることが可能となっている。
【００６１】
そのため、シールドケース１６をシステムボードの接地点を利用して接地させることが容易となっている。これにより、シールドケース１６の電位を接地電位に安定させて、シールドケース１６におけるシールド効果の劣化を防止することが容易となっている。
【００６２】
［実施例７］
次に本発明の実施例７について説明する。なお本実施例は、放送受信モジュールに取付け穴を設けた点を除いては他の実施例と同様であるため、重複する説明を省略する。
【００６３】
本実施例における放送受信モジュール１の構成図を、図８に示す。本図に示すように、基板１９は両面実装が可能となっており、表側の面には、アンテナコネクタ１１、フロントエンドモジュール１２、およびメモリ１５が設けられている。またその一方、裏側の面には、デコーダＬＳＩ１３および入出力端子１４が設けられている。
【００６４】
また基板１９において、アンテナコネクタ１１の近傍（少なくとも、基板の略中央より近い位置）には、放送受信モジュール１をシステムボードに取り付けるための取付け穴１７が設けられている。この取付け穴１７はネジを貫通させるためのネジ穴となっており、ネジ止めによって、放送受信モジュール１をシステムボードに固定させることが可能となっている。
【００６５】
このように取付け穴１７が設けられていることによって、放送受信モジュール１をデジタル放送受信機２の内部に取り付けることが、より容易となっている。また取付け穴１７はアンテナコネクタ１１の近傍に設けられているため、基板１９を、アンテナコネクタ１１の近傍で固定することが可能となっている。
【００６６】
そのため、アンテナコネクタ１１にアンテナ端子を抜き差しする際に基板１９に生じる曲げ方向の力を、極力低減させることが可能となっている。そのため、基板に無理な力が加わることによる基板のねじれや、基板に実装されている各回路に不具合が生じることを、極力回避することが可能となっている。
【００６７】
なお放送受信モジュール１をシステムボードに固定させる手段としては、上述した取付け穴１７を設けるものの他、半田により固定させるためのスペースを設けるもの等、種々の手段が適用可能である。
【００６８】
以上、本発明の各実施例について説明したが、本発明はこれらに限定されるものではなく、本発明の主旨を逸脱しない限り、種々の改変を加えることが可能である。また各実施例で採用されている技術内容は、矛盾の無い限り、それぞれ組み合わせることが可能である。
【産業上の利用可能性】
【００６９】
本発明は、デジタル放送受信機（テレビ放送受信機）などの分野において利用可能である。
【図面の簡単な説明】
【００７０】
【図１】本発明の実施例１に係る放送受信モジュールの構成図である。
【図２】本発明に係るデジタル放送受信機の構成図である。
【図３】本発明の実施例２に係る放送受信モジュールの構成図である。
【図４】本発明の実施例３に係る放送受信モジュールの構成図である。
【図５】本発明の実施例４に係る放送受信モジュールの構成図である。
【図６】本発明の実施例５に係る放送受信モジュールの構成図である。
【図７】本発明の実施例６に係る放送受信モジュールの構成図である。
【図８】本発明の実施例７に係る放送受信モジュールの構成図である。
【図９】従来のデジタル放送受信機の一例に係る構成図である。
【符号の説明】
【００７１】
１    放送受信モジュール
２    デジタル放送受信機
１１    アンテナコネクタ（アンテナ入力端子）
１２    フロントエンドモジュール
１３    デコーダＬＳＩ
１４    入出力端子
１５    メモリ
１６    シールドケース
１７    取付け穴（固定部、貫通穴）
２１    アンテナ
２２    ＬＣＤ周辺回路
２３    ＬＣＤ
２４    オーディオＤＡＣ
２５    スピーカ
２６    キースイッチ類
２７    システムマイコン
２８    メモリ
２９    電源回路
【図１】
2008211416.tif 000003
【図２】
2008211416.tif 000004
【図３】
2008211416.tif 000005
【図４】
2008211416.tif 000006
【図５】
2008211416.tif 000007
【図６】
2008211416.tif 000008
【図７】
2008211416.tif 000009
【図８】
2008211416.tif 000010
【図９】
2008211416.tif 000011